(57)【要約】【課題】電子機器の取扱手順をユーザが熟知していない場合にのみ、その取扱手順の情報を表示することで、取扱手順を熟知しているユーザの無駄な操作を削減することのできる取扱手順説明装置を提供する。【解決手段】機器が自装置に接続されているか否かを判定し、機器のユーザにとってその機器の取扱手順が既知であるか否かの情報を前記機器から読み取って、取扱の説明が必要か否かを判定する。また機器のユーザにとってその機器の取扱手順が既知である旨の情報を読み取った場合には、予め記憶する取扱手順説明情報の表示処理を中止する。そして、取扱手順説明情報の表示処理が中止となった場合に、取扱手順説明情報の次に表示する情報を表示部に表示する。【選択図】図１
2008102897.tif 000002
【特許請求の範囲】
【請求項１】
機器の取扱手順説明情報を表示する取扱手順説明装置であって、
前記機器のユーザにとってその機器の取扱手順が既知であるか否かの情報を前記機器から読み取って、取扱の説明が必要か否かを判定する説明要否判定手段と、
前記機器のユーザにとってその機器の取扱手順が既知である旨の情報を読み取った場合には、予め記憶する前記取扱手順説明情報の表示処理を中止する説明中止手段と、
前記取扱手順説明情報の表示処理が中止となった場合に、前記取扱手順説明情報の次に表示する情報を表示部に表示する表示処理手段と、
を備えることを特徴とする取扱手順説明装置。
【請求項２】
前記機器が自装置に接続されているか否かを判定する接続検出手段を備え、
前記説明要否判定手段は、前記機器が自装置に接続されている場合に、前記機器のユーザにとってその機器の取扱手順が既知であるか否かの情報を前記機器から読み取って、取扱の説明が必要か否かを判定する
ことを特徴とする請求項１に記載の取扱手順説明装置。
【請求項３】
前記表示処理手段は、前記機器のユーザにとってその機器の取扱手順が既知である旨の情報を読み取れない場合に前記取扱手順説明情報を表示し、
前記取扱手順説明情報の表示中に、前記接続検出手段が自装置への前記機器の接続を検出し、
前記取扱手順説明情報の表示中に、前記説明要否判定手段が、前記機器のユーザにとってその機器の取扱手順が既知であるか否かの情報を前記機器から読み取って、取扱の説明が必要か否かを判定し、
前記取扱手順説明情報の表示中に、前記機器のユーザにとってその機器の取扱手順が既知である旨の情報を読み取った場合には、前記説明中止手段は、前記取扱手順説明情報の表示の中止を決定し、
前記表示処理手段が、前記取扱手順説明情報の次に表示する情報を前記表示部に表示する
ことを特徴とする請求項２に記載の取扱手順説明装置。
【請求項４】
前記取扱手順説明情報の表示中に、前記接続検出手段が自装置からの前記機器の取り外しを検出した場合には、前記説明中止手段は前記取扱手順説明情報の表示の中止を決定する
ことを特徴とする請求項３に記載の取扱手順説明装置。
【請求項５】
画像撮影装置の取扱手順説明情報を表示する取扱手順説明装置であって、
前記画像撮影装置に画像が記録されているか否かを判定して、取扱の説明が必要か否かを判定する説明要否判定手段と、
前記画像撮影装置に画像が記録されている場合には、予め記憶する前記取扱手順説明情報の表示処理を中止する説明中止手段と、
前記取扱手順説明情報の表示処理が中止となった場合に、前記取扱手順説明情報の次に表示する情報を表示部に表示する表示処理手段と、
を備えることを特徴とする取扱手順説明装置。
【請求項６】
前記画像撮影装置が自装置に接続されているか否かを判定する接続検出手段と、
前記説明要否判定手段は、前記機器が自装置に接続されている場合に、前記画像撮影装置に画像が記録されているか否かを判定して、取扱の説明が必要か否かを判定する
ことを特徴とする請求項５に記載の取扱手順説明装置。
【請求項７】
前記表示処理手段は、前記画像撮影装置に画像が記録されていない場合に、前記取扱手順説明情報を表示し、
前記取扱手順説明情報の表示中に、前記接続検出手段が自装置への前記画像撮影装置の接続を検出し、
前記取扱手順説明情報の表示中に、前記説明要否判定手段が、前記画像撮影装置に画像が記録されているか否かを判定して、取扱の説明が必要か否かを判定し、
前記取扱手順説明情報の表示中に、前記画像撮影装置に画像が記録されている場合には、前記説明中止手段は、予め記憶する前記取扱手順説明情報の表示処理の中止を決定し、
前記表示処理手段が、前記取扱手順説明情報の次に表示する情報を前記表示部に表示する
ことを特徴とする請求項６に記載の取扱手順説明装置。
【請求項８】
前記取扱手順説明情報の表示中に、前記接続検出手段が自装置からの前記画像撮影装置の取り外しを検出した場合には、前記説明中止手段は前記取扱手順説明情報の表示の中止を決定する
ことを特徴とする請求項７に記載の取扱手順説明装置。
【請求項９】
機器の取扱手順説明情報を表示する取扱手順説明装置における取扱手順説明方法であって、
前記取扱手順説明装置の説明要否判定手段が、前記機器のユーザにとってその機器の取扱手順が既知であるか否かの情報を前記機器から読み取って、取扱の説明が必要か否かを判定し、
前記取扱手順説明装置の説明中止手段が、前記機器のユーザにとってその機器の取扱手順が既知である旨の情報を読み取った場合には、予め記憶する前記取扱手順説明情報の表示処理を中止し、
前記取扱手順説明装置の表示処理手段が、前記取扱手順説明情報の表示処理が中止となった場合に、前記取扱手順説明情報の次に表示する情報を表示部に表示する
ことを特徴とする取扱手順説明方法。
【請求項１０】
前記取扱手順説明装置の接続検出手段が、前記機器が自装置に接続されているか否かを判定し、
前記取扱手順説明装置の前記説明要否判定手段が、前記機器が自装置に接続されている場合に、前記機器のユーザにとってその機器の取扱手順が既知であるか否かの情報を前記機器から読み取って、取扱の説明が必要か否かを判定する
ことを特徴とする請求項９に記載の取扱手順説明方法。
【請求項１１】
前記表示処理手段は、前記機器のユーザにとってその機器の取扱手順が既知である旨の情報を読み取れない場合に前記取扱手順説明情報を表示し、
前記取扱手順説明情報の表示中に、前記接続検出手段が自装置への前記機器の接続を検出し、
前記取扱手順説明情報の表示中に、前記説明要否判定手段が、前記機器のユーザにとってその機器の取扱手順が既知であるか否かの情報を前記機器から読み取って、取扱の説明が必要か否かを判定し、
前記取扱手順説明情報の表示中に、前記機器のユーザにとってその機器の取扱手順が既知である旨の情報を読み取った場合には、前記説明中止手段は、前記取扱手順説明情報の表示の中止を決定し、
前記表示処理手段が、前記取扱手順説明情報の次に表示する情報を前記表示部に表示する
ことを特徴とする請求項１０に記載の取扱手順説明方法。
【請求項１２】
前記取扱手順説明情報の表示中に、前記接続検出手段が自装置からの前記機器の取り外しを検出した場合には、前記説明中止手段は前記取扱手順説明情報の表示の中止を決定する
ことを特徴とする請求項１１に記載の取扱手順説明方法。
【請求項１３】
機器の取扱手順説明情報を表示する取扱手順説明装置のコンピュータに実行させるプログラムであって、
前記機器のユーザにとってその機器の取扱手順が既知であるか否かの情報を前記機器から読み取って、取扱の説明が必要か否かを判定する説明要否判定処理と、
前記機器のユーザにとってその機器の取扱手順が既知である旨の情報を読み取った場合には、予め記憶する前記取扱手順説明情報の表示処理を中止する説明中止処理と、
前記取扱手順説明情報の表示処理が中止となった場合に、前記取扱手順説明情報の次に表示する情報を表示部に表示する表示処理と、
をコンピュータに実行させるプログラム。
【請求項１４】
請求項１３の処理に加え、
前記機器が自装置に接続されているか否かを判定する接続検出処理を備え、
前記説明要否判定処理において、前記機器が自装置に接続されている場合に、前記機器のユーザにとってその機器の取扱手順が既知であるか否かの情報を前記機器から読み取って、取扱の説明が必要か否かを判定する
処理をコンピュータに実行させるプログラム。
【請求項１５】
請求項１４の処理に加え、
前記表示処理において、前記機器のユーザにとってその機器の取扱手順が既知である旨の情報を読み取れない場合に前記取扱手順説明情報を表示し、
前記取扱手順説明情報の表示中に、前記接続検出処理において、自装置への前記機器の接続を検出し、
前記取扱手順説明情報の表示中に、前記説明要否判定処理において、前記機器のユーザにとってその機器の取扱手順が既知であるか否かの情報を前記機器から読み取って、取扱の説明が必要か否かを判定し、
前記取扱手順説明情報の表示中に、前記機器のユーザにとってその機器の取扱手順が既知である旨の情報を読み取った場合には、前記説明中止処理において、前記取扱手順説明情報の表示の中止を決定し、
前記表示処理において、前記取扱手順説明情報の次に表示する情報を前記表示部に表示するプログラム。
【請求項１６】
請求項１５に記載の処理に加え、
前記取扱手順説明情報の表示中に、前記接続検出処理において自装置からの前記機器の取り外しを検出した場合には、前記説明中止処理において前記取扱手順説明情報の表示の中止を決定するプログラム。
【請求項１７】
請求項１３〜請求項１６の何れかに記載のプログラムを記憶したコンピュータ読み取り可能な記録媒体。
【発明の詳細な説明】
【技術分野】
【０００１】
本発明は、機器の取扱手順を説明するための取扱手順説明情報を表示する取扱手順説明装置及び取扱手順説明方法ならびにそのプログラムと記録媒体に関する。
【背景技術】
【０００２】
電子機器をＰＣ（Personal Computer）などの端末に接続して利用する形態が増えている。例えばデジタルカメラを用いて、そのユーザが対象物を撮影し、用いたデジタルカメラをＰＣに接続することができる。撮影した対象物のデジタル画像は、ＰＣに転送することが可能で、ユーザは当該ＰＣで画像を表示させて楽しむことができる。ところで電子機器はデジタルカメラ以外にも様々な機器が存在し、操作の複雑な機器をＰＣなどの端末に接続する利用形態が増えることが考えられる。このような操作の複雑な機器をＰＣに接続して利用する場合、その電子機器の取扱手順をＰＣなどの端末の画面上に毎回表示してユーザに取扱手順を熟知させることが必要となる。ここで、取扱手順（または操作説明）をＰＣなどの端末で表示する技術は従来用いられており、例えばＰＣにインストールされたアプリケーションプログラムの操作説明画面を表示する処理について特許文献１に公開されている。
【特許文献１】特開２００６−６７４８６号公報
【発明の開示】
【発明が解決しようとする課題】
【０００３】
しかしながら、電子機器の操作を熟知しているユーザにとっては、取扱手順の情報を読む必要が無い為、その情報を表示することは不必要である。またこの様な端末上で取扱手順の情報の表示が必要のない場合には、取扱手順の情報の表示のスキップを指示することが必要となるが、端末側で取扱手順について熟知しているか否かを判断して、取扱手順の情報をスキップさせ、ユーザの労力を軽減させることが望ましい。
【０００４】
そこでこの発明は、電子機器の取扱手順をユーザが熟知していない場合にのみ、その取扱手順の情報を表示することで、取扱手順を熟知しているユーザの無駄な操作を削減することのできる、取扱手順説明装置及び取扱手順説明方法ならびにそのプログラムと記録媒体を提供することを目的としている。
【課題を解決するための手段】
【０００５】
上記目的を達成するために、本発明は、機器の取扱手順説明情報を表示する取扱手順説明装置であって、前記機器のユーザにとってその機器の取扱手順が既知であるか否かの情報を前記機器から読み取って、取扱の説明が必要か否かを判定する説明要否判定手段と、前記機器のユーザにとってその機器の取扱手順が既知である旨の情報を読み取った場合には、予め記憶する前記取扱手順説明情報の表示処理を中止する説明中止手段と、前記取扱手順説明情報の表示処理が中止となった場合に、前記取扱手順説明情報の次に表示する情報を表示部に表示する表示処理手段と、を備えることを特徴とする取扱手順説明装置である。
【０００６】
また本発明は上述の取扱手順説明装置において、前記機器が自装置に接続されているか否かを判定する接続検出手段を備え、前記説明要否判定手段は、前記機器が自装置に接続されている場合に、前記機器のユーザにとってその機器の取扱手順が既知であるか否かの情報を前記機器から読み取って、取扱の説明が必要か否かを判定することを特徴とする。
【０００７】
また本発明は上述の取扱手順説明装置において、前記表示処理手段は、前記機器のユーザにとってその機器の取扱手順が既知である旨の情報を読み取れない場合に前記取扱手順説明情報を表示し、前記取扱手順説明情報の表示中に、前記接続検出手段が自装置への前記機器の接続を検出し、前記取扱手順説明情報の表示中に、前記説明要否判定手段が、前記機器のユーザにとってその機器の取扱手順が既知であるか否かの情報を前記機器から読み取って、取扱の説明が必要か否かを判定し、前記取扱手順説明情報の表示中に、前記機器のユーザにとってその機器の取扱手順が既知である旨の情報を読み取った場合には、前記説明中止手段は、前記取扱手順説明情報の表示の中止を決定し、前記表示処理手段が、前記取扱手順説明情報の次に表示する情報を前記表示部に表示することを特徴とする。
【０００８】
また本発明は上述の取扱手順説明装置において、前記取扱手順説明情報の表示中に、前記接続検出手段が自装置からの前記機器の取り外しを検出した場合には、前記説明中止手段は前記取扱手順説明情報の表示の中止を決定することを特徴とする。
【０００９】
また本発明は、画像撮影装置の取扱手順説明情報を表示する取扱手順説明装置であって、前記画像撮影装置に画像が記録されているか否かを判定して、取扱の説明が必要か否かを判定する説明要否判定手段と、前記画像撮影装置に画像が記録されている場合には、予め記憶する前記取扱手順説明情報の表示処理を中止する説明中止手段と、前記取扱手順説明情報の表示処理が中止となった場合に、前記取扱手順説明情報の次に表示する情報を表示部に表示する表示処理手段と、を備えることを特徴とする取扱手順説明装置である。
【００１０】
また本発明は上述の取扱手順説明装置において、前記画像撮影装置が自装置に接続されているか否かを判定する接続検出手段と、前記説明要否判定手段は、前記機器が自装置に接続されている場合に、前記画像撮影装置に画像が記録されているか否かを判定して、取扱の説明が必要か否かを判定することを特徴とする。
【００１１】
また本発明は上述の取扱手順説明装置において、前記表示処理手段は、前記画像撮影装置に画像が記録されていない場合に、前記取扱手順説明情報を表示し、前記取扱手順説明情報の表示中に、前記接続検出手段が自装置への前記画像撮影装置の接続を検出し、前記取扱手順説明情報の表示中に、前記説明要否判定手段が、前記画像撮影装置に画像が記録されているか否かを判定して、取扱の説明が必要か否かを判定し、前記取扱手順説明情報の表示中に、前記画像撮影装置に画像が記録されている場合には、前記説明中止手段は、予め記憶する前記取扱手順説明情報の表示処理の中止を決定し、前記表示処理手段が、前記取扱手順説明情報の次に表示する情報を前記表示部に表示することを特徴とする。
【００１２】
また本発明は上述の取扱手順説明装置において、前記取扱手順説明情報の表示中に、前記接続検出手段が自装置からの前記画像撮影装置の取り外しを検出した場合には、前記説明中止手段は前記取扱手順説明情報の表示の中止を決定することを特徴とする。
【００１３】
また本発明は機器の取扱手順説明情報を表示する取扱手順説明装置における取扱手順説明方法であって、前記取扱手順説明装置の説明要否判定手段が、前記機器のユーザにとってその機器の取扱手順が既知であるか否かの情報を前記機器から読み取って、取扱の説明が必要か否かを判定し、前記取扱手順説明装置の説明中止手段が、前記機器のユーザにとってその機器の取扱手順が既知である旨の情報を読み取った場合には、予め記憶する前記取扱手順説明情報の表示処理を中止し、前記取扱手順説明装置の表示処理手段が、前記取扱手順説明情報の表示処理が中止となった場合に、前記取扱手順説明情報の次に表示する情報を表示部に表示することを特徴とする取扱手順説明方法である。
【００１４】
また本発明は上述の取扱手順説明方法において、前記取扱手順説明装置の接続検出手段が、前記機器が自装置に接続されているか否かを判定し、前記取扱手順説明装置の前記説明要否判定手段が、前記機器が自装置に接続されている場合に、前記機器のユーザにとってその機器の取扱手順が既知であるか否かの情報を前記機器から読み取って、取扱の説明が必要か否かを判定することを特徴とする。
【００１５】
また本発明は上述の取扱手順説明方法において、前記表示処理手段は、前記機器のユーザにとってその機器の取扱手順が既知である旨の情報を読み取れない場合に前記取扱手順説明情報を表示し、前記取扱手順説明情報の表示中に、前記接続検出手段が自装置への前記機器の接続を検出し、前記取扱手順説明情報の表示中に、前記説明要否判定手段が、前記機器のユーザにとってその機器の取扱手順が既知であるか否かの情報を前記機器から読み取って、取扱の説明が必要か否かを判定し、前記取扱手順説明情報の表示中に、前記機器のユーザにとってその機器の取扱手順が既知である旨の情報を読み取った場合には、前記説明中止手段は、前記取扱手順説明情報の表示の中止を決定し、前記表示処理手段が、前記取扱手順説明情報の次に表示する情報を前記表示部に表示することを特徴とする。
【００１６】
また本発明は上述の取扱手順説明方法において、前記取扱手順説明情報の表示中に、前記接続検出手段が自装置からの前記機器の取り外しを検出した場合には、前記説明中止手段は前記取扱手順説明情報の表示の中止を決定することを特徴とする。
【００１７】
また本発明は機器の取扱手順説明情報を表示する取扱手順説明装置のコンピュータに実行させるプログラムであって、前記機器のユーザにとってその機器の取扱手順が既知であるか否かの情報を前記機器から読み取って、取扱の説明が必要か否かを判定する説明要否判定処理と、前記機器のユーザにとってその機器の取扱手順が既知である旨の情報を読み取った場合には、予め記憶する前記取扱手順説明情報の表示処理を中止する説明中止処理と、前記取扱手順説明情報の表示処理が中止となった場合に、前記取扱手順説明情報の次に表示する情報を表示部に表示する表示処理と、をコンピュータに実行させるプログラムである。
【００１８】
また本発明は上述の処理に加え、前記機器が自装置に接続されているか否かを判定する接続検出処理を備え、前記説明要否判定処理において、前記機器が自装置に接続されている場合に、前記機器のユーザにとってその機器の取扱手順が既知であるか否かの情報を前記機器から読み取って、取扱の説明が必要か否かを判定する処理をコンピュータに実行させるプログラムである。
【００１９】
また本発明は上述の処理に加え、前記表示処理において、前記機器のユーザにとってその機器の取扱手順が既知である旨の情報を読み取れない場合に前記取扱手順説明情報を表示し、前記取扱手順説明情報の表示中に、前記接続検出処理において、自装置への前記機器の接続を検出し、前記取扱手順説明情報の表示中に、前記説明要否判定処理において、前記機器のユーザにとってその機器の取扱手順が既知であるか否かの情報を前記機器から読み取って、取扱の説明が必要か否かを判定し、前記取扱手順説明情報の表示中に、前記機器のユーザにとってその機器の取扱手順が既知である旨の情報を読み取った場合には、前記説明中止処理において、前記取扱手順説明情報の表示の中止を決定し、前記表示処理において、前記取扱手順説明情報の次に表示する情報を前記表示部に表示するプログラムである。
【００２０】
また本発明は上述の処理に加え、前記取扱手順説明情報の表示中に、前記接続検出処理において自装置からの前記機器の取り外しを検出した場合には、前記説明中止処理において前記取扱手順説明情報の表示の中止を決定するプログラムである。
【００２１】
また本発明は上述のプログラムを記憶したコンピュータ読み取り可能な記録媒体である。
【発明の効果】
【００２２】
本発明によれば、取扱手順説明装置は、ユーザにとって取扱手順説明情報の表示が必要ないと判断した場合に、取扱手順説明情報の次の情報を表示する。これにより、ユーザが機器の取扱手順を熟知している場合におけるユーザの取扱手順説明装置の操作労力を軽減することができる。
【００２３】
また、本発明によれば、取扱手順説明情報の表示中であっても、取扱手順説明装置は、ユーザにとって、取扱手順説明情報の表示が必要ないと判断した場合に、取扱手順説明情報の表示をスキップする。これにより、ユーザの取扱手順説明装置の操作労力を軽減することができる。
【発明を実施するための最良の形態】
【００２４】
以下、本発明の第１の実施形態による画像撮影システムを図面を参照して説明する。図１は第１の実施形態による画像撮影システムの構成を示すブロック図である。この図において、符号１は端末（取扱手順説明装置）である。また２は画像撮影装置（機器）である。また３は画像撮影装置２を端末１と接続させるためのクレードルである。ユーザは画像撮影装置２を利用して対象物を撮影する。撮影が終わると、ユーザは、画像撮影装置２をクレードル３に接続する。このことによって、画像撮影装置２は、ユーザが撮影した対象物の画像データを端末１へ転送することができる。
撮影（画像撮影装置２の使用）に先立って、端末１は、画像撮影装置２を使用するユーザがその画像撮影装置２の取扱手順を知っているか否かを判定する。ユーザが取扱手順を知らないと判定した場合、画像撮影装置２の取扱手順を説明する為の情報（以下、取扱手順説明情報とする）を画面に表示する。具体的には、画面に表示された指示に対して所定の操作が行われたことを検知することで、端末１はユーザがその画像撮影装置２の取扱手順を知らないと判定し、取扱手順説明情報を画面上に表示させる。一方、端末１は画像撮影装置２を使用するユーザがその画像撮影装置２の取扱手順を知っていると判定した場合には、取扱手順説明情報の表示をスキップして次の情報を表示する処理を行う。このような端末１の処理によって、画像撮影装置２の取扱手順を熟知しているユーザに対して無駄な操作（例えば、次のページへの変更を入力する操作）を行わせないようにすることができる。なお第１の実施形態において画像撮影装置２は、例えば、歯医者で利用される携帯型の歯牙・歯列撮影装置であり分光測光器の機能が備えられているものとする。このため画像撮影装置２は歯牙・歯列の画像撮影の前にキャリブレーション（色調整）を行う。
【００２５】
図２は端末の機能ブロック図である。
この図が示すように端末１はクレードル３と通信を行う通信部１１、端末１内の各処理部を制御する制御部１２、画像撮影装置２のクレードル３への接続を検出する接続検出部１３、画像撮影装置２が記憶している情報に基づいて取扱手順説明情報の表示を行うか否かを判定する説明要否判定部１４、表示中の取扱手順説明情報の表示を中止する説明中止処理部１５、取扱手順説明情報を表示する説明情報表示部１６、画像撮影装置２の記憶する画像のデータを取り込む画像取込処理部１７、取扱手順説明情報などを記憶する表示情報記憶部１８、取り込んだ画像データを記憶する画像記憶部１９を備えている。なお端末１に格納された画像取込みのためのアプリケーションプログラムが実行させるために上記各処理部等が端末１に備えられる。
【００２６】
図３は第１の実施形態による端末の処理フローを示す第１の図である。
図４は第１の実施形態による端末の処理フローを示す第２の図である。
次に図３、図４を用いて第１の実施形態による取扱手順説明装置の機能を備えた端末の処理フローについて順を追って説明する。
まず端末１の接続検出部１３は、画像撮影装置２がクレードル３を経由して、端末１に接続されているか否かを判定する（ステップＳ１０１）。そして画像撮影装置２がクレードル３を経由して、端末１に接続されていなければ、端末１はエラーをモニタに表示する（ステップＳ１０２）。また画像撮影装置２がクレードル３を経由して、端末１に接続されている場合には端末１は、キャリブレーションの開始を促す画面をモニタに表示する（ステップＳ１０３）。
【００２７】
ここで、ステップＳ１０２ではエラー表示を行うのみで、実際にユーザが画像撮影装置２をクレードル３に接続したか否かを確認していない。しかしながら、キャリブレーションは、画像撮影装置２をクレードル３に接続した状態でしか行えないようになっている。すなわち、画像撮影システムでは、キャリブレーションに用いる参照板が、クレードル３側に配置されている。そして、その参照板を画像撮影装置２で撮影するには、クレードル３の所定の位置に、画像撮影装置２を設置しなくてはならないようになっている。よって、ステップＳ１０３でユーザにキャリブレーションの開始を促すことで、画像撮影装置２がクレードル３に接続されることになる。
【００２８】
ただし、ステップＳ１０３でユーザにキャリブレーションの開始を促したとしても、実際にユーザが画像撮影装置２をクレードル３に接続したかどうかはわからない。そこで、キャリブレーション済みか否かの判定を行う（ステップＳ１０４）。キャリブレーション済みの場合、画像撮影装置２のメモリに、キャリブレーションが終了した情報が格納されている。そして、キャリブレーション済みか否かの判定は、画像撮影装置２のメモリに格納された情報に基づいて行われる。そのため、画像撮影装置２がクレードル３に接続されていないと、端末１はメモリに格納された情報を読み取ることができない。端末１がメモリに格納された情報を読み取ることができない場合は、一連の処理は待機状態になる（ステップＳ１０４でＹｅｓにもＮｏにも行かない状態。ただし、図３では待機状態に関する処理を図示していない）。よって、待機状態を解消するために、ユーザは、最終的に画像撮影装置２をクレードル３に接続することになる。
【００２９】
画像撮影装置２がクレードル３に接続されると、端末１はメモリに格納された情報を読み取る。そして、キャリブレーション済みの場合、ステップＳ１０７の処理に進む。ステップＳ１０７の処理については、後で説明する。一方、キャリブレーションが済んでいない場合、キャリブレーションが終了するまで待機する（ステップＳ１０５）。すなわち、前述のように、ステップＳ１０３でユーザにキャリブレーションの開始を促す表示が行われる。この表示を見たユーザは、画像撮影装置２を用いて対象物を撮影する場合には、画像撮影装置２の所定のボタンを押下して画像撮影装置２にキャリブレーションの開始を指示する。すると画像撮影装置２はキャリブレーションを開始する。そしてキャリブレーションが終了すると画像撮影装置２は終了したことを示す情報をメモリ等に格納する。
【００３０】
ここで、端末１の説明要否判定部１４はクレードル３を介して画像撮影装置２のメモリに記録されている情報（キャリブレーションの終了を示す情報）を所定の時間間隔で読み取り、キャリブレーションが終了したか否かを判定する。そして、メモリに記録されている情報が、キャリブレーションの終了を示す情報でない場合には、説明要否判定部１４は、キャリブレーション済みでないと判定し、キャリブレーションが終了したか否かの判定処理を繰り返す（ステップＳ１０５）。そして、キャリブレーションが終了した場合には、説明要否判定部１４はユーザに対してキャリブレーションの終了の通知をすると共に、取扱手順説明情報の表示またはスキップの指示を入力させる画面をモニタに表示する（ステップＳ１０６）。
【００３１】
図５はステップＳ１０６における、モニタに表示された画面を模式的に表した参考図である。
例えば図５に示したように、この画面においては、画面上の「ＮＥＸＴ」ボタンを押下するよう促す説明と、画像撮影装置２をクレードル３から外すよう促す説明が表示されている。ここで、「ＮＥＸＴ」ボタンを押下するよう促す説明は、取扱手順説明情報の表示が行われることをユーザに知らせる説明である。一方、画像撮影装置２をクレードル３から外すように促す説明は、取扱手順説明情報の表示がスキップされることをユーザに知らせる説明である。
【００３２】
端末１の説明要否判定部１４はステップＳ１０６の処理の後、ＮＥＸＴボタンが押下されたか否かの判定（ステップＳ１０８）と、画像撮影装置２がクレードル３から外されたか否かの判定（ステップＳ１０９）とを行う。そして説明要否判定部１４は、ＮＥＸＴボタンが押下されず、なお且つ画像撮影装置２が取り外されたと判定した場合には、取扱手順説明情報を表示する必要がないと判定し、説明中止処理部１５へ取扱手順説明情報の中止を指示する。すると説明中止処理部１５は説明情報表示部１６へ取扱手順説明情報の次に表示する情報、例えば、画像取込開始を促す画面の情報の表示を指示する。そして説明情報表示部１６は、画像取込開始を促す画面の情報を表示情報記憶部１８から読み取って、モニタに表示する（ステップＳ１１０）。ユーザは、画像取込開始を促す画面の情報に従って、画像撮影装置２を用いて対象物を撮影し、撮影が完了すると、画像撮影装置２をクレードル３に再接続する。なお、ユーザの熟知度（画像撮影装置２に関する熟知度）によっては、ステップＳ１１０の表示が行われる前に撮影が行われる場合もある。この場合、ステップＳ１０９およびＳ１１０が処理されている間に、ユーザによる撮影が行われる。
【００３３】
ステップＳ１１０の終了後、端末１の画像取込処理部１７は、画像撮影装置２がクレードル３に接続され、なお且つ画像撮影装置２のメモリに画像データが記録されているか否かを判定する（ステップＳ１１１）。なお、画像撮影装置２のメモリに画像データが記録されているか否かを判定するには、端末１が画像撮影装置２のメモリに参照できなくてはならない。よって、この判定には、画像撮影装置２がクレードル３に接続されていることが前提となる。すなわち、ステップＳ１１１での判定条件は、画像撮影装置２のメモリに画像データが記録されているか否かのみでも構わない。そして、画像撮影装置２のメモリに画像データが記録されている場合には、転送中の表示を画面に表示するとともに、メモリに記録されている画像データを自装置に転送する（ステップＳ１１２）。これにより端末１は画像データを用いた次の処理（例えばメモリに記録）を行う。なお、ステップＳ１１１で、画像撮影装置２のメモリに画像データが記録されている場合には、ステップＳ１０３に戻る。
【００３４】
以上の処理によれば、ステップＳ１０８でＮＥＸＴボタンが押下されず、取扱手順説明情報が表示されずに画像撮影装置２がクレードル３から取り外されたことを検出することで、端末１はユーザが画像撮影装置２の取扱手順を熟知しており、取扱手順説明情報の表示が必要ないと判定することができる。従って、このような場合に取扱手順説明装置の機能を保持した端末１においては、取扱手順説明情報が中止され、次の情報を表示される。これにより、画像撮影装置２の取扱手順を熟知しているとみなすことのできるユーザに対して、端末１（取扱手順説明装置）の操作（例えば、次のページへの変更を入力する操作）の労力を軽減することができる。すなわち、ユーザは、画像撮影装置２からクレードル３を取り外すという一つの動作によって、対象物の撮影に移ることができると同時に、取扱手順説明情報の表示が必要ないことを意味する信号を画像撮影装置２に送ることができる。このため、ユーザは、改めて画像撮影装置２の取扱手順説明情報の表示をスキップするために、画像撮影装置２に指示する必要がない。これにより、ユーザの端末１の操作労力を軽減することができる。
【００３５】
次に、ステップＳ１０７について説明する。ステップＳ１０４でキャリブレーションの終了を示す情報を読み取った場合、端末１の説明要否判定部１４はキャリブレーション済みであると判定する。この時点で画像撮影装置２はクレードル３に接続されている。よって、端末１は、画像データが画像撮影装置２のメモリに記録されているか否かを判定する（ステップＳ１０７）。このステップＳ１０７の判定において、説明要否判定部１４は、所定の時間間隔で画像撮影装置２のメモリに画像データが記録されているか否かを判定する。画像データが記録されていない場合、ユーザは、画像撮影装置２の使用経験がない（少ない）という可能性がある。よって、画像データが記録されていない場合、ステップＳ１０６へ処理を移行する。一方、ステップＳ１０７において、画像データが画像撮影装置２のメモリに記録されていると説明要否判定部１４が判定した場合には、端末１はステップＳ１１０に処理を移行する。つまり、画像撮影装置２において既に対象物が撮影されたこととなるので、取扱手順説明情報の表示をスキップし、自装置への画像転送の処理を開始する。これにより、ユーザの端末１（取扱手順説明装置）に対する操作労力を軽減することができる。
【００３６】
またステップＳ１０８においてＮＥＸＴボタンが押下された場合、つまり取扱手順説明情報の表示をユーザが希望した場合の端末１の処理について説明する。ステップＳ１０８の後、端末１の説明要否判定部１４は説明情報表示部１６に対して、取扱手順説明情報の表示を指示する。すると説明情報表示部１６は取扱手順説明情報を端末１のモニタに表示する（ステップＳ１１３）。ここで取扱手順説明情報は複数ページの画面情報から構成されている。よって、ユーザは各ページに記載されている説明を順次読みながら画像撮影装置２を操作して、対象物を撮影する。このときユーザは１ページの説明を読み終わった場合には画面に表示されているＮＥＸＴボタンを押下して次のページを表示させる指示を端末１に入力する。このように、ユーザが画像撮影装置２の操作手順を知らない場合は、取扱手順説明情報はスキップされずに表示される。よって、ユーザは取扱手順説明情報に従って操作することができる。
【００３７】
取扱手順説明情報を表示している間、端末１の説明中止処理部１５は、画像撮影装置２がクレードル３に接続され、なお且つ画像データが画像撮影装置２のメモリに記録されているか否かを判定する（ステップＳ１１４）。説明中止処理部１５は、画像撮影装置２がクレードル３に接続されていないか、あるいは画像データが画像撮影装置２のメモリに記録されていない場合は、ユーザによる撮影が行われていない場合である。そこで、続いて、ＮＥＸＴボタンが最後のページで押下されたか否かを判定する（ステップＳ１１５）。そして、取扱手順説明情報で表示する最後のページのＮＥＸＴボタンが押下された場合には、端末１はステップＳ１１０に処理を移行する。一方、ＮＥＸＴボタンが最後のページで押下されたのでない場合は、次のページの取扱手順説明情報を表示する。
【００３８】
また、画像撮影装置２がクレードル３に接続され、なお且つ画像データが画像撮影装置２のメモリに記録されている場合は、ユーザによる撮影が行われた場合である。この場合は、画像撮影装置２において既に対象物が撮影されたこととなるので、取扱手順説明情報の表示をスキップし、自装置への画像転送の処理を開始する。これにより、ユーザの端末１（取扱手順説明装置）の操作労力を軽減することができる。
【００３９】
なお、第１の実施形態においてはステップＳ１０７の画像撮影装置２のメモリに画像データが記憶されているか否かの処理によって、取扱手順説明装置の機能を備えた端末１が取扱手順説明情報の表示が必要か否かを判定しているが、画像撮影装置２でない他の電子機器である場合にはその電子機器に適した情報が電子機器内に記録されているかどうかを判定することによって、当該電子機器を取扱うユーザにとってその機器の取扱手順が既知であるか否かを判定して、その結果、取扱手順説明情報を表示するかどうかを判定すればよい。また第１の実施形態においてはステップＳ１０９の画像撮影装置２がクレードルから外されたか否かの処理によって、取扱手順説明装置の機能を備えた端末１が取扱手順説明情報の表示が必要か否かを判定しているが、画像撮影装置２でない他の電子機器である場合にはその電子機器に適した装置から画像撮影装置２が外されたかどうかを判定することによって、当該電子機器を取扱うユーザにとってその機器の取扱手順が既知であるか否かを判定して、その結果、取扱手順説明情報を表示するかどうかを判定すればよい。
【００４０】
図６は第２の実施形態による端末の処理フローを示す図である。
次に図６を用いて第２の実施形態による取扱手順説明装置の機能を備えた端末の処理フローについて順を追って説明する。なお第２の実施形態における端末１は第１の実施形態における端末１の接続検出部１３の機能が無い場合の例である。従って接続検出部１３以外の各機能部について第１の実施形態と同一の符号を用いて説明する。
まず、初期状態において説明要否判定部１４ではＮに１（Ｎは取扱手順説明情報のページ数。本実施形態においては取扱手順説明情報の最終ページはＮ＝５であるものとする）が代入されメモリ等に記憶する（ステップＳ２０１）。そして、端末１の説明要否判定部１４はクレードル３を介して画像撮影装置２にアクセスし、画像データが画像撮影装置２のメモリに記録されているか否かを判定する（ステップＳ２０２）。このステップＳ２０２の判定において説明要否判定部１４は、画像撮影装置２のメモリに画像データが記録されているか否かを判定し、画像データがなければステップＳ２０３へ、また画像データが記録されていればステップＳ２０８へ処理を移行する。なお、画像撮影装置２へのアクセス（画像データの有無の確認）は１回でも良いし、所定の時間間隔で複数回行っても良い。
【００４１】
ステップＳ２０２の判定において、画像データが画像撮影装置２のメモリに記録されていると判定された場合について、更に説明する。画像データが画像撮影装置２のメモリに記録されているということは、ユーザは画像撮影装置２を使用したということになる。よって、ユーザは画像撮影装置２の使用方法に関して熟知していると判定することができる。そこで、端末１は、説明中止処理部１５へ取扱手順説明情報の中止を指示する。すると説明中止処理部１５は説明情報表示部１６へ取扱手順説明情報の次に表示する情報の表示を指示する。そして説明情報表示部１６は取扱手順説明情報の次に表示する情報を表示情報記憶部１８から読み取って、モニタに表示する（ステップＳ２０８）。また画像取込処理部１７は画像データを端末１に転送中である旨の情報をモニタに表示し（ステップＳ２０９）、画像データの画像撮影装置２からの転送を受け付ける（ステップＳ２１０）。
このように、画像撮影装置２の取扱手順を熟知しているとみなすことのできるユーザに対しては、取扱手順説明情報の表示がスキップされるので、端末１（取扱手順説明装置）の操作（例えば、次のページへの変更を入力する操作）の労力を軽減することができる。
【００４２】
次に、ステップＳ２０２の判定において、画像データが画像撮影装置２のメモリに記録されていないと判定された場合について、説明する。説明要否判定部１４はメモリからＮ＝１を読み取って、取扱手順説明情報の第１ページを表示するよう説明情報表示部１６へ指示する。すると説明情報表示部１６が表示情報記憶部１８から第１ページの取扱手順説明情報を読み取ってモニタに表示する（ステップＳ２０３）。そして説明要否判定部１４はＮが最大値（ＭＡＸ）、つまりＮ＝５か否かを判定（ステップＳ２０４）する。なお、説明情報表示部１６はステップＳ２０４の後、取扱手順説明情報の次のページの変更の指示の入力を受け付けるまでステップＳ２０３で表示した取扱手順説明情報を表示し続ける。そして説明要否判定部１４は、ステップＳ２０４でＮ＝５、つまり最後のページでないと判定した場合には、次に取扱手順説明情報の次のページへの変更の指示の入力を受け付けたか否かを判定する（ステップＳ２０５）。変更の指示を受け付けていない場合にはステップＳ２０２へ処理を移行し、また変更の指示を受け付けた場合にはＮ＝Ｎ＋１の処理（ステップＳ２０６）を行ってステップＳ２０２へ処理を移行する。そして、ステップＳ２０２で画像データが画像撮影装置２のメモリに記録されていると判定されるまで、またはステップＳ２０４でＮ＝５になったと判定されるまで、ステップＳ２０２からステップＳ２０６の処理を繰り返す。
【００４３】
ステップＳ２０４においてＮ＝５、つまり最後のページを表示していると判定した場合には、説明要否判定部１４はクレードル３を介して画像撮影装置２にアクセスし、画像データが画像撮影装置２のメモリに記録されているか否かを定期的な時間間隔で判定し（ステップＳ２０７）、画像データが記録されるまでその判定を繰り返す。そして、説明要否判定部１４は、画像データが画像撮影装置２のメモリに記録されていると判定した場合、説明情報表示部１６へ取扱手順説明情報の次に表示する情報の表示を指示する。そして説明情報表示部１６は取扱手順説明情報の次に表示する情報を表示情報記憶部１８から読み取って、モニタに表示する（ステップＳ２０８）。また画像取込処理部１７は画像データを端末１に転送中である旨の情報をモニタに表示し（ステップ２０９）、画像データの画像撮影装置２からの転送を受け付ける（ステップＳ２１０）。
【００４４】
上述したステップＳ２０１からステップＳ２１０の処理によれば、ステップＳ２０２において、画像撮影装置２のメモリに既に画像データが記録されていると判定した場合には、その時にモニタに表示されている取扱手順説明情報の後に表示される取扱手順説明情報のページを表示せずに（つまり取扱手順説明情報の表示をスキップして）、ステップＳ２０８の処理に移行し、取扱手順説明情報の次に表示する情報をモニタに表示している。これにより、画像撮影装置２の取り扱い手順を熟知しているユーザに対して、取扱手順説明情報の表示を行なわずに、取扱手順説明情報の次に表示する情報を表示することができる。よって、ユーザの端末１（取扱手順説明装置）の操作労力（次のページへの変更を入力する操作の労力）を軽減することができる。一方、ユーザが画像撮影装置２の操作手順を知らない場合は、ユーザは取扱手順説明情報に従って操作することができ、取扱手順説明情報はスキップされずに表示される。ステップＳ２０２の処理からステップＳ２０９にスキップするタイミングとしては、取扱手順説明情報の１ページ目がモニタに表示される前に既に画像データが画像撮影装置２のメモリに記録されている場合、または、５ページ（最後のページ）を表示する前に画像データが画像撮影装置２のメモリに記録された場合（最後のページまでユーザが確認する前に対象物を撮影してクレードル３に画像撮影装置２を接続した場合）の何れかである。
【００４５】
なお、第２の実施形態においては画像撮影装置２のメモリに画像データが記憶されているか否かによって、取扱手順説明装置の機能を備えた端末１が取扱手順説明情報の次に表示する情報の表示が必要か否かを判定しているが、画像撮影装置２でない他の電子機器である場合にはその電子機器に適した情報が電子機器内に記録されているかどうかによって、当該電子機器を取扱うユーザにとってその機器の取扱手順が既知であるか否かを判定して、その結果、取扱手順説明情報の次に表示する情報を表示するかどうかを判定すればよい。また、第２の実施形態においては、取扱手順説明情報の最終ページはＮ＝５であるものとしたが、Ｎ＝５に限らず、必要となる取扱手順説明情報のページ数に応じてＮの最大値ＭＡＸの値を種々に選択することが可能である。
【００４６】
図７は第３の実施形態による端末の処理フローを示す図である。
次に図７を用いて第３の実施形態による取扱手順説明装置の機能を備えた端末の処理フローについて順を追って説明する。なお第３の実施形態における端末１は第１の実施形態と同様の各機能部を有している。従って各機能部については第１の実施形態と同一の符号を用いて説明する。
まず端末１の接続検出部１３は画像撮影装置２とクレードル３が接続されているか否かを判定する（ステップＳ３０１）。そして画像撮影装置２とクレードル３が接続されたと判定するまでステップＳ３０１の判定を繰り返す。次に、画像撮影装置２とクレードル３が接続された場合には、説明要否判定部１４は取扱手順説明情報の表示を説明情報表示部１６へ指示する。すると説明情報表示部１６は表示情報記憶部１８から最初のページの取扱手順説明情報を読み取ってモニタに表示する（ステップＳ３０２）。
【００４７】
次に説明要否判定部１４はモニタに表示した取扱手順説明情報のページが最後のページか否かを判定する（ステップＳ３０３）。そして最後のページでなければ、説明要否判定部１４は取扱手順説明情報の次のページへの変更が指示されたか否かを判定する（ステップＳ３０４）。説明情報表示部１６は、取扱手順説明情報の次のページへの変更の指示があるまでステップＳ３０２で表示したページを表示し続ける。
【００４８】
ステップＳ３０４において、取扱手順説明情報の変更の指示がされていないと判定した場合、続いて、説明要否判定部１４は画像撮影装置２がクレードル３から外されたか否かを判定する（ステップＳ３０６）。ステップＳ３０６において、画像撮影装置２がクレードル３から外されたと説明要否判定部１４が判定した場合には、ユーザが画像撮影装置２を使って撮影を行なおうとしているとみなすことができる。また、撮影が終了したら、画像データを端末１に転送するために、ユーザは画像撮影装置２がクレードル３に接続することになる。そこで、説明要否判定部１４は、画像撮影装置２がクレードル３に接続されたか否かを判定する（ステップＳ３０７）。そして画像撮影装置２がクレードル３に接続されたと判定した場合には、説明要否判定部１４は取扱手順説明情報を表示する必要がないと判定し、説明中止処理部１５へ取扱手順説明情報の中止を指示する。すると説明中止処理部１５は、説明情報表示部１６へ取扱手順説明情報の次に表示する情報、例えば、画像取込開始を促す画面の情報の表示を指示する。例えば、取扱手順説明情報の１ページ目が表示された状態で、画像撮影装置２がクレードル３から外されて撮影が行われたとする。その後、ユーザが画像撮影装置２をクレードルに接続すると、取扱手順説明情報の１ページ目が表示された状態から、画像取込開始を促す画面の情報が表示された状態になる。すなわち、取扱手順説明情報の２ページ目から５ページ目までは表示されない。（本実施形態においては取扱手順説明情報の最終ページは５ページであるものとする。ただし、ページ数はこの値に限定されない。）
このように、画像撮影装置２の取扱手順を熟知しているとみなすことのできるユーザに対しては、取扱手順説明情報の表示がスキップされるので、端末１（取扱手順説明装置）の操作（例えば、次のページへの変更を入力する操作）の労力を軽減することができる。
【００４９】
なお、画像撮影装置２とクレードル３の脱着が行なわれない場合（ステップＳ３０６でＮｏ、ステップＳ３０７でＮｏ）、説明情報表示部１６は、取扱手順説明情報の次のページへの変更の指示があるまでステップＳ３０２あるいはステップＳ３０５で表示したページを表示し続ける。また、ステップＳ３０４において、取扱手順説明情報の次のページへの変更の指示が入力されたと判定した場合、説明要否判定部１４は、説明情報表示部１６に次のページの取扱説明情報の表示の指示を行ない、説明情報表示部１６が、次のページの取扱説明情報を表示情報記憶部１８から読み取ってモニタに表示する（ステップＳ３０５）。そして、上述したように、各種判断とその結果に応じた処理が行われる。
【００５０】
また、ステップＳ３０３において説明要否判定部１４が最後のページであると判定した場合、取扱説明は一通り終了している。よって、後は、ユーザが画像撮影装置２を使用して、撮影を行うのを待つだけになる。そこで、説明情報表示部１６は、画像撮影装置２がクレードル３から外されるまで最後のページの取扱手順説明情報を表示し続ける。
【００５１】
同様に、説明情報表示部１６は、画像撮影装置２がクレードル３に接続されるまで最後のページの取扱手順説明情報を表示し続ける。そして、画像撮影装置２がクレードル３に接続されたことを検出すると、説明要否判定部１４は、説明情報表示部１６へ取扱手順説明情報の次に表示する情報の表示を指示する。そして説明情報表示部１６は、取扱手順説明情報の次に表示する情報を表示情報記憶部１８から読み取って、モニタに表示する（ステップＳ３０８）。
【００５２】
上述したステップＳ３０１からステップＳ３０８の処理によれば、クレードル３から画像撮影装置２が取り外され、さらにクレードル３に、再度、画像撮影装置２が接続されたことを検出することで、端末１は当該ユーザが既に画像撮影装置２の取扱手順を知っていると判断することができる。よって、端末１は、取扱手順説明情報が最後のページまで表示される前であっても、取扱手順説明情報をスキップさせて、次に表示する情報をモニタに表示させることができる。これにより、ユーザが最後のページまで順次ページの変更を入力しなくても次に表示する情報を表示させることができるので、ユーザの端末１（取扱手順説明装置）の操作労力（次のページへの変更を入力する操作の労力）を軽減することができる。すなわち、ユーザは、画像撮影装置２からクレードル３を取り外すという一つの動作によって、対象物の撮影に移ることができると同時に、取扱手順説明情報の表示が必要ないことを意味する信号を画像撮影装置２に送ることができる。このため、ユーザは、改めて画像撮影装置２の取扱手順説明情報の表示をスキップするために、画像撮影装置２に指示する必要がない。これにより、ユーザの端末１の操作労力を軽減することができる。一方、ユーザが画像撮影装置２の操作手順を知らない場合は、ユーザは取扱手順説明情報に従って操作することができ、取扱手順説明情報はスキップされずに表示することができる。
【００５３】
なお、第３の実施形態においては画像撮影装置２がクレードル３から外されたか否かによって、取扱手順説明装置の機能を備えた端末１が取扱手順説明情報の次に表示する情報の表示が必要か否かを判定しているが、画像撮影装置２でない他の電子機器である場合にはその電子機器に適した装置から当該画像撮影装置２が外されたか否かによって、当該電子機器を取扱うユーザにとってその機器の取扱手順が既知であるか否かを判定して、その結果、取扱手順説明情報の次に表示する情報を表示するかどうかを判定すればよい。
【００５４】
図８は第４の実施形態による端末の処理フローを示す図である。
次に図８を用いて第４の実施形態による取扱手順説明装置の機能を備えた端末の処理フローについて順を追って説明する。なお第４の実施形態における端末１は第１の実施形態と同様の各機能部を有している。従って各機能部については第１の実施形態と同一の符号を用いて説明する。
まず端末１の接続検出部１３は画像撮影装置２とクレードル３が接続されているか否かを判定する（ステップＳ４０１）。そして画像撮影装置２とクレードル３が接続されたと判定するまでステップＳ４０１の判定を繰り返す。次に、画像撮影装置２とクレードル３が接続された場合には、端末１の説明要否判定部１４が、クレードル３を介して画像撮影装置２にアクセスし、画像データが画像撮影装置２のメモリに記録されているか否かを判定する（ステップＳ４０２）。なお、画像撮影装置２へのアクセス（画像データの有無の確認）は１回でも良いし、所定の時間間隔で複数回行なっても良い。
【００５５】
ステップＳ４０２の判定において、画像データが画像撮影装置２のメモリに記録されていると判定された場合について、更に説明する。画像データが画像撮影装置２のメモリに記録されているということは、ユーザは画像撮影装置２を使用したということになる。よって、ユーザは画像撮影装置２の使用方法に関して熟知していると判定することができる。そこで、端末１は、説明中止処理部１５へ取扱手順説明情報の中止を指示する。すると説明中止処理部１５は説明情報表示部１６へ取扱手順説明情報の次に表示する情報、例えば、画像取込開始を促す画面の情報の表示を指示する。そして説明情報表示部１６は取扱手順説明情報の次に表示する情報の表示情報記憶部１８から読み取って、モニタに表示する（ステップＳ４０９）。また画像取込処理部１７は画像データを端末１に転送中である旨の情報をモニタに表示し（ステップＳ４１０）、画像データの画像撮影装置２からの転送を受け付ける（ステップＳ４１１）。
このように、画像撮影装置２の取扱手順を熟知しているとみなすことのできるユーザに対しては、取扱手順説明情報の表示がスキップされるので、端末１（取扱手順説明装置）の操作（例えば、次のページへの変更を入力する操作）の労力を軽減することができる。
【００５６】
次に、ステップＳ４０２の判定において、画像データが画像撮影装置２のメモリに記録されていないと判定された場合について説明する。説明要否判定部１４は取扱手順説明情報の表示を説明情報表示部１６へ指示する。すると説明情報表示部１６は表示情報記憶部１８から最初の取扱手順説明情報を読み取ってモニタに表示する（ステップＳ４０３）。次に、説明要否判定部１４はモニタに表示した取扱手順説明情報のページが最後のページか否かを判定する（ステップＳ４０４）。そして最後のページでなければ、説明要否判定部１４は取扱手順説明情報の次のページへの変更が指示されたか否かを判定する（ステップＳ４０５）。説明情報表示部１６は、取扱手順説明情報の次のページへの変更の指示があるまでステップＳ４０３で表示したページを表示し続ける。
【００５７】
ステップＳ４０５において、取扱手順説明情報の変更の指示がされていないと判定した場合、続いて、説明要否判定部１４は画像撮影装置２がクレードル３から外されたか否かを判定する（ステップＳ４０７）。ステップＳ４０７において、画像撮影装置２がクレードル３から外されたと説明要否判定部１４が判定した場合には、ユーザが画像撮影装置２を使って撮影を行なおうとしているとみなすことができる。また、撮影が終了したら、画像データを端末１に転送するために、ユーザは画像撮影装置２がクレードル３に接続することになる。そこで、説明要否判定部１４は、画像撮影装置２がクレードル３に接続されたか否かを判定する（ステップＳ４０８）。そして画像撮影装置２がクレードル３に接続されたと判定した場合には、説明要否判定部１４は取扱手順説明情報を表示する必要がないと判定し、ステップＳ４０２へ処理を移行する。例えば、取扱手順説明情報の１ページ目が表示された状態で、画像撮影装置２がクレードル３から外されて撮影が行われたとする。その後、ユーザが画像撮影装置２をクレードルに接続すると、ステップＳ４０２へ処理を移行する。すると、画像データが画像撮影装置２に記録されているため、ステップＳ４０２からステップＳ４０９へ処理を移行する。つまり、取扱手順説明情報の１ページ目が表示された状態から、取扱手順説明情報の次に表示する情報が表示された状態になる。すなわち、取扱手順説明情報の２ページ目から５ページ目までは表示されない。（本実施形態においては取扱手順説明情報の最終ページは５ページであるものとする。ただし、ページ数はこの値に限定されない。）
このように、画像撮影装置２の取扱手順を熟知しているとみなすことのできるユーザに対しては、取扱手順説明情報の表示がスキップされるので、端末１（取扱手順説明装置）の操作（例えば、次のページへの変更を入力する操作）の労力を軽減することができる。
【００５８】
なお、画像撮影装置２とクレードル３の脱着が行なわれない場合（ステップＳ４０７でＮｏ、ステップＳ４０８でＮｏ）、説明情報表示部１６は、取扱手順説明情報の次のページへの変更の指示があるまでステップＳ４０２あるいはステップＳ４０６で表示したページを表示し続ける。
また、ステップＳ４０５において、取扱手順説明情報の次のページへの変更の指示が入力されたと判定した場合、説明要否判定部１４は、説明情報表示部１６に次のページの取扱説明情報の指示を行ない、説明情報表示部１６が、次のページの取扱説明情報を表示情報記憶部１８から読み取ってモニタに表示する（ステップＳ４０６）。そして、上述したように、各種判断とその結果に応じた処理が行なわれる。
【００５９】
また、ステップＳ４０４において説明要否判定部１４が最後のページであると判定した場合、取扱説明は一通り終了している。よって、後は、ユーザが画像撮影装置２を使用して、撮影を行うのを待つだけになる。そこで、説明情報表示部１６は、画像撮影装置２がクレードル３から外されるまで最後のページの取扱手順説明情報を表示し続ける。同様に、説明情報表示部１６は、画像撮影装置２がクレードル３に接続されるまで最後のページの取扱手順説明情報を表示し続ける。そして、画像撮影装置２がクレードル３に接続されたことを検出すると、ステップＳ４０２へ処理を移行する。そしてステップＳ４０２において画像データが画像撮影装置２に記録されていると判定されるまでステップＳ４０２〜ステップＳ４０８の処理を繰り返す。
【００６０】
上述したステップＳ４０１からステップＳ４１１の処理によれば、ステップＳ４０２において画像撮影装置２のメモリに既に画像データが記録されていると判定した場合には、その時にモニタに表示されている取扱手順説明情報の後に表示される取扱手順説明情報のページを表示せずに（つまり取扱手順説明情報の表示をスキップして）、ステップＳ４０９の処理に移行し、取扱手順説明情報の次に表示する情報をモニタに表示している。これにより、画像撮影装置２の取り扱い手順を熟知しているユーザに対して、取扱手順説明情報の表示を行なわずに、取扱手順説明情報の次に表示する情報を表示することができる。よって、ユーザの端末１（取扱手順説明装置）の操作労力（次のページへの変更を入力する操作の労力）を軽減することができる。
【００６１】
また、上述したステップＳ４０１からステップＳ４１１の処理によれば、クレードル３から画像撮影装置２が取り外され、さらにクレードル３に、再度、画像撮影装置２が接続されたことを検出することで、端末１は当該ユーザが既に画像撮影装置２の取扱手順を知っていると判断することができる。よって、端末１は、取扱手順説明情報が最後のページまで表示される前であっても、取扱手順説明情報をスキップさせることができる。これにより、ユーザが最後のページまで順次ページの変更を入力しなくても、ユーザが既に画像撮影装置２の取扱手順を知っていると判断することができるので、ユーザの端末１（取扱手順説明装置）の操作労力（次のページへの変更を入力する操作の労力）を軽減することができる。すなわち、ユーザは、画像撮影装置２からクレードル３を取り外すという一つの動作によって、対象物の撮影に移ることができると同時に、取扱手順説明情報の表示が必要ないことを意味する信号を画像撮影装置２に送ることができる。このため、ユーザは、改めて画像撮影装置２の取扱手順説明情報の表示をスキップするために、画像撮影装置２に指示する必要がない。これにより、ユーザの端末１の操作労力を軽減することができる。一方、ユーザが画像撮影装置２の操作手順を知らない場合は、ユーザは取扱手順説明情報に従って操作することができ、取扱手順説明情報はスキップされずに表示することができる。
【００６２】
なお、第４の実施形態においては画像撮影装置２に画像データが記憶されているか否かによって、取扱手順説明装置の機能を備えた端末１が取扱手順説明情報の次に表示する情報の表示が必要か否かを判定しているが、画像撮影装置２でない他の電子機器である場合にはその電子機器に適した情報が電子機器内に記録されているかどうかによって、当該電子機器を取扱うユーザにとってその機器の取扱手順が既知であるか否かを判定して、その結果、取扱手順説明情報の次に表示する情報を表示するかどうかを判定すればよい。
【００６３】
上述の全ての実施の形態に示された、取扱手順説明装置の機能を備えた端末や画像撮影装置は内部に、コンピュータシステムを有している。そして、上述した処理の過程は、プログラムの形式でコンピュータが読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６５】
【図１】画像撮影システムの構成を示すブロック図である。
【図２】端末の機能ブロック図である。
【図３】第１の実施形態による端末の処理フローを示す第１の図である。
【図４】第１の実施形態による端末の処理フローを示す第２の図である。
【図５】ステップＳ１０６における、モニタに表示された画面の参考図である。
【図６】第２の実施形態による端末の処理フローを示す図である。
【図７】第３の実施形態による端末の処理フローを示す図である。
【図８】第４の実施形態による端末の処理フローを示す図である。
【符号の説明】
【００６６】
１・・・端末
２・・・画像撮影装置
３・・・クレードル
【図１】
2008102897.tif 000003
【図２】
2008102897.tif 000004
【図３】
2008102897.tif 000005
【図４】
2008102897.tif 000006
【図５】
2008102897.tif 000007
【図６】
2008102897.tif 000008
【図７】
2008102897.tif 000009
【図８】
2008102897.tif 000010